(57)【要約】【課題】  誤動作が生ぜず信頼性が大きい非常解装置の信号発生機構を提供する。【解決手段】  非常解装置の伝達機構において、スライダピン１８をスイッチ駆動部材として指定すると共に、このスライダピン１８の常態における定座位置付近にマイクロスイッチ２４を配設し、また、スライダピン１８をマイクロスイッチのアクチュエータ２５を押動する方向に付勢し、一方、マイクロスイッチの近傍にばね部材２６を設け、その自由端にアクチュエータ駆動部２７とスライダピン１８との係合部２８を形成し、常態においてスイッチ駆動部材とは独立にマイクロスイッチのアクチュエータを押圧し、非常解装置作動時、スライダピン１８と係合してその付勢方向とは反対方向に移動することにより、マイクロスイッチ２４を切替えて非常解信号を発生させる。【選択図】  図３
2010043411.tif 000002
【特許請求の範囲】
【請求項１】
非常解装置の操作部材の動きを、非常時錠前を解錠する非常解装置に伝達する伝達機構において、この伝達機構を構成する部材の一つ或いは部材の一部をスイッチ駆動部材として指定すると共に、このスイッチ駆動部材の常態における定座位置付近にマイクロスイッチを配設し、また、スイッチ駆動部材をマイクロスイッチのアクチュエータを押動する方向に付勢し、一方、マイクロスイッチの近傍にばね部材を設け、その自由端にアクチュエータ駆動部とスイッチ駆動部材との係合部を形成し、常態においてスイッチ駆動部材とは独立にマイクロスイッチのアクチュエータを押圧し、非常解装置作動時、スイッチ駆動部材と係合してその付勢方向とは反対方向に移動することにより、マイクロスイッチを切替えて非常解信号を発生するようにしたことを特徴とする非常解装置における信号発生機構。
【発明の詳細な説明】
【技術分野】
【０００１】
この発明は、非常解装置における信号発生機構（以下単に信号発生機構という）に係り、特に、誤動作が生ぜず信頼性が大きい信号発生機構に関する。
【背景技術】
【０００２】
非常解装置とは、例えばホテルの非常口における扉の本締錠を、１動作で、しかも合鍵無しで解錠できる装置で、その操作部材の一例が下記特許文献１に詳細に記載されている。
【０００３】
非常解装置そのものは本発明の要旨ではないが、本発明による信号発生機構を理解するためにその構成を知ることは必要であるから、その一例を図１及び図２を参照して簡単に説明する。
【０００４】
図１において符号１は例えば非常口の扉に装着された本締錠の錠箱を、符号２はこの錠箱１に連設された非常用錠箱を夫々示す。
【０００５】
これら錠箱１及び非常用錠箱２の間を貫通するようにして、水平方向に延在する細長い板材である非常用ロッド３が、錠箱のフロント板４に垂直な前後方向に移動可能に案内されている。
【０００６】
この非常用ロッド３の前端（図１で左端）部には、後ろ向きの傾斜端縁５と係合切欠６とが夫々形成されており、その内傾斜端縁５は、ロックアーム７に重合して結合された小判形の解錠板８に係合しており、係合切欠６は、デッドボルト１に形成された突起１０に前方から係合している。
【０００７】
一方、非常用ロッド３の後端は、偏向アーム１１を介して、非常用錠箱２内において上下方向に移動可能に案内されたスライダ１２にリンク結合されている。
【０００８】
上記偏向アーム１１は、図２に示すように、全体の形状が例えば略Ｌ字形の板状体で、非常用錠箱２の側板に植設された支軸１３により、中央部を回動可能に支承されると共に、捩りコイルばねとしてのアームばね１４の弾力により図２で時計方向に付勢されている。
【０００９】
また、偏向アーム１１の一端は、ダルマ形の連結孔１５（図２参照）及び非常用ロッド３の後端に植設された連結ピン１６の係合を介して、非常用ロッド３の後端にリンク結合されている。
【００１０】
更にまた、偏向アーム１１の他端には、図２に示すように、長穴１７が開口しており、図１に示すように、この長穴１７及び上記スライダ１２を共通に貫通するスライダピン１８により、偏向アーム１１及びスライダ１２は相互に連結されている。
【００１１】
一方、上記スライダ１２は、上記偏向アーム１１の他端部が挿入できる隙間を形成した筒状の板材で、非常用錠箱の支柱１９及び非常用錠箱の背板２１に案内されて図１で上下方向に移動可能に案内されている。
【００１２】
また、スライダ１２の表面には、上記支柱１９との摺接長孔とほぼ平行に、縦長で矩形の係合孔２２が開口しており、この係合孔２２に、非常解装置のテコの作動端（下記特許文献１参照）が、非常用錠箱の側板に開口した挿通孔２３を通って係合している。
【００１３】
上記のように構成された図示の実施例における非常解装置は、例えば火事や地震等の非常時、扉内面に装着された操作部材を操作することにより、図示しないテコの作動端がスライダ１２を引揚げるので、偏向アーム１１が反時計方向に回動し、したがって非常用ロッド３が後方、すなわち、図１で右方に移動する。
【００１４】
すると、非常用ロッドの係合切欠６と突起１０との遊び分の動きにより、傾斜端縁５が解錠板８を跳ね上げ、ロックアーム７によるデッドボルト９の錠止を解く。
【００１５】
非常用ロッド３の更なる後方への移動により、突起１０と係合切欠６との係合を介して非常用ロッド３とデッドボルト９は一体に連結されるのて、以降デッドボルト９は非常用ロッドと一体的に後方に移動して錠箱１内に引込み、このようにして錠前が解錠される。
【特許文献１】特開２００１−１１５７１３
【発明の開示】
【発明が解決しようとする課題】
【００１６】
上記のように作動する非常解装置は、管理上、作動させ放しという訳にはいかず、非常解装置作動時作動信号を例えば管理システムに送給したり、或いは非常用ランプを点灯したり、又は警報音を奏鳴する。
【００１７】
図１に示す非常解装置では、常態、すなわち非常解装置を作動させないときのスライダピン１８の定座位置付近にマイクロスイッチを設け、そのアクチュエータ２５を直接スライダピンで押える構造の非常解信号発生機構を備えている。
【００１８】
しかしながら、通常、非常解装置は操作部材の動きをデッドボルトを引っ込めるために利用する関係上、操作部材の動きを縮小して伝達することはないので、操作部材からデッドボルトに致る機構のどこの部分でマイクロスイッチを制御するにしても、扉の内面に装着された操作部材の動きに対し、マイクロスイッチ制御部材（図示の実施例ではスライダピン１８）は敏感に反応する。
【００１９】
そのため、通行者の体が非常解装置のプッシャー等の操作部材に触れたり、或いは閉扉の衝撃で非常解信号が発生してしまう、等の誤動作が生じる不都合があった。
【００２０】
そこで、この発明は、誤動作が生ぜず信頼性が大きい信号発生機構を提供することを目的としている。
【課題を解決するための手段】
【００２１】
上記の目的を達成するため、請求項１に記載の発明は、非常解装置の操作部材の動きを、非常時錠前を解錠する非常解装置に伝達する伝達機構において、この伝達機構を構成する部材の一つ或いは部材の一部をスイッチ駆動部材として指定すると共に、このスイッチ駆動部材の常態における定座位置付近にマイクロスイッチを配設し、また、スイッチ駆動部材をマイクロスイッチのアクチュエータを押動する方向に付勢し、一方、マイクロスイッチの近傍にばね部材を設け、その自由端にアクチュエータ駆動部とスイッチ駆動部材との係合部を形成し、常態においてスイッチ駆動部材とは独立にマイクロスイッチのアクチュエータを押圧し、非常解装置作動時、スイッチ駆動部材と係合してその付勢方向とは反対方向に移動することにより、マイクロスイッチを切替えて非常解信号を発生するようにしたことを特徴とする。
【発明の効果】
【００２２】
上記のように構成されたこの発明による信号発生機構は、誤動作が発生する常態において、ばね部材のアクチュエータ駆動部によりスイッチ駆動部材とは独立して、或いは、スイッチ駆動部材と共にマイクロスイッチのアクチュエータを押圧しているので、例え操作部材に人体が触れる等の事態が生じたとしても、それはスイッチ駆動部材に影響を与えるだけで、ばね部材のアクチュエータ駆動部には外力が加わらない。
【００２３】
したがって、スイッチ駆動部材が動いたとしてもマイクロスイッチは切り替わらず、そのため誤動作が生ぜず信号発生機構の信頼性が向上する、という本発明の所期の効果を奏する。
【発明を実施するための最良の形態】
【００２４】
駆動部材とマイクロスイッチの近傍にばね部材を設け、常態において、その自由端に形成されたアクチュエータ駆動部によりマイクロスイッチのアクチュエータをスイッチ駆動部材とは独立に押圧するようにしたので、非常解装置の操作部材に人体が触れたとしても誤動作が生じないように構成した。
【実施例１】
【００２５】
以下、この発明の一実施例を図３を参照して説明する。
図３において符号２は前記非常用錠箱を示し、図３において図１と同符号を付した部分は図１と均等な部分を示す。
【００２６】
図３が図１と変るところは、ただ１点、すなわち、ばね部材２６が存在するだけで、他は従来の非常用錠箱と変るところはない。
【００２７】
上記ばね部材２６は前記アームばね１４と同じく捩りコイルばねであり、アームばね１４と同様には偏向アームの支軸１３に巻装されている。
【００２８】
そして、その自由端（図３で右端）は略Ｓ字形に成形され、その屈曲部の一方がアクチュエータ駆動部２７、他方の屈曲部がスイッチ駆動部材としてのスライダピン１８との係合部２８となっている。
【００２９】
そして、ばね部材２６の形状及び線径は、図３に示すように、アクチュエータ駆動部２７がスライダピン１８とは独立に、換言すればスライダピンと共にアクチュエータ２５（図１参照）を押動でき、かつ、スライダピン１８が上昇してアクチュエータ２５と離間しても単独でアクチュエータを押圧できるように設定されている。
【００３０】
また、図３に示すように、常態におけるスライダピン１８とばね部材の係合部２８との間に隙間が生じるように、ばね部材の自由端部の形状が設定されている。
【００３１】
上記のように構成されたこの発明の一実施例による信号発生機構は、マイクロスイッチのアクチュエータ２５をスライダピン１８とばね部材のアクチュエータ駆動部２７の両方で押圧しており、しかも、ばね部材単独でもアクチュエータ２５を押圧できる弾力を有するので、非常解装置の操作部材を誤って押動したり、或いは急激に閉扉してスライダピン１８が動いたとしても、マイクロスイッチのアクチュエータは切り替わらず、したがって誤動作が生じないことは前記した通りである。
【００３２】
なお、非常解装置が作動してスライダピンが上昇すると、スライダピン１８がばね部材の係合部と係合してこれを押上げるので、アクチュエータ駆動部２７がマイクロスイッチのアクチュエータから離れ、マイクロスイッチが切り替わって作動信号が発生する。
【図面の簡単な説明】
【００３３】
【図１】非常解装置を備えた錠箱の側面図で、主要部のみを示し、また、施錠状態を示す。
【図２】偏向アームの正面図。
【図３】この発明の一実施例による信号発生機構を備えた非常用錠箱の側面図。
【符号の説明】
【００３４】
１  錠箱
２  非常用錠箱
３  非常用ロッド
４  フロント板
５  傾斜端縁
６  係合切欠
７  ロックアーム
８  解錠板
９  デッドボルト
１１  偏向アーム
１２  スライダ
１３  支軸
１４  アームばね
１５  連結孔
１６  連結ピン
１７  長穴
１８  スライダピン
１９  支柱
２１  背板
２２  係合孔
２３  挿通孔
２４  マイクロスイッチ
２５  アクチュエータ
２６  ばね部材
２７  アクチュエータ駆動部
２８係合部
【図１】
2010043411.tif 000003
【図２】
2010043411.tif 000004
【図３】
2010043411.tif 000005